(57)【要約】【課題】被介護者の移動方向に制約が生じない移動補助シートを提供する。【解決手段】移動補助シート１は、被介護者４を上面１２に載置可能な上側シート１０と、上側シート１０の下面１４側に重ね合わされた下側シート２０と、一端部３２が上側シート１０に接続され、他端部３４が下側シート２０に接続された少なくとも１つの帯状連結部３０とを備え、上側シート１０と下側シート２０は、互いに縫合されていない。上側シート１０及び下側シート２０は、上側シート１０の下面１４の地の目線１６と、下側シート２０の上面２２の地の目線２６とが互いに交差するよう、重ね合わされている。【選択図】図１
2016171890.tif 000002
【特許請求の範囲】
【請求項１】
被介護者を上面に載置可能な上側シートと、
前記上側シートの下面側に重ね合わされた下側シートと、
一端部が前記上側シートに接続され、他端部が前記下側シートに接続された少なくとも１つの帯状連結部と
を備え、
前記上側シートと前記下側シートは、互いに縫合されていない
ことを特徴とする移動補助シート。
【請求項２】
前記上側シート及び前記下側シートは、前記上側シートの下面の地の目線と、前記下側シートの上面の地の目線とが互いに交差するよう、重ね合わされている
ことを特徴とする請求項１に記載の移動補助シート。
【請求項３】
前記上側シート及び前記下側シートは、前記上側シートの下面の地の目線と、前記下側シートの上面の地の目線とが互いに直交するよう、重ね合わされている
ことを特徴とする請求項２に記載の移動補助シート。
【請求項４】
前記上側シート及び前記下側シートは、長方形状に形成されたシート材であり、
前記帯状連結部は、前記上側シート及び前記下側シートの四隅にそれぞれ設けられている
ことを特徴とする請求項１〜３のいずれか１項に記載の移動補助シート。
【発明の詳細な説明】
【技術分野】
【０００１】
本発明は、被介護者をベッド上において又はベッドから他の箇所に移動させる際に用いる移動補助シートに関するものである。
【背景技術】
【０００２】
従来、寝たきりの老人や患者等の介護を要する者（被介護者）の衣服を着替えさせる際や、褥瘡防止のために体位変換をさせる際、及び、被介護者を検査等のためにベッドからストレッチャや検査台等に移す際等、被介護者をベッド上において又はベッドから他の箇所に移動させる場合には、引きずったり、複数人で持ち上げたりして、被介護者を移動させている。このような被介護者の移動は、介護者の作業負担が大きく、また、被介護者の身体に対しても負担が大きいものである。
【０００３】
そこで、近年、介護者の作業負担を軽減させると共に、被介護者の身体的な負担を軽減させることを目的として、被介護者の移動を補助する移動補助具が開発されている（例えば特許文献１参照）。この移動補助具１００は、図６に示すように、中空円筒状に形成されたシート材から形成されており、移動補助具１００の上面１０２に被介護者を載置させた状態で被介護者を移動補助具１００の周方向（幅方向）に押圧又は牽引することにより、移動補助具１００がキャタピラのように回転し、被介護者の移動を補助するよう構成されている。
【先行技術文献】
【特許文献】
【０００４】
【特許文献１】特開平０８−２５７０７４号公報
【発明の概要】
【発明が解決しようとする課題】
【０００５】
しかしながら、従来の移動補助具１００は、被介護者の移動方向に制約があるという問題がある。すなわち、従来の移動補助具１００は、円筒状に形成されていることから、移動補助具１００の周方向に被介護者を移動させる際の補助は可能であるが、移動補助具１００の周方向から逸れた方向に被介護者を移動させると、移動補助具１００の形状が崩れ、被介護者の移動を阻害してしまうという問題がある。また、これにより、一度ベッド等と被介護者との間に移動補助具１００を挿入すると、移動補助具１００の円周方向に沿った押圧方向及び牽引方向の二方向にしか被介護者を移動させることができないため、他の方向に被介護者を移動させる場合には、再度移動補助具１００を挿入し直さなければならず、介護者の作業負担や被介護者の身体的な負担が依然として大きいという問題がある。
【０００６】
そこで、本発明は、被介護者の移動方向に制約が生じない移動補助シートを提供することを目的とする。
【課題を解決するための手段】
【０００７】
上記の目的を達成するため、本発明に係る移動補助シートは、被介護者を上面に載置可能な上側シートと、前記上側シートの下面側に重ね合わされた下側シートと、一端部が前記上側シートに接続され、他端部が前記下側シートに接続された少なくとも１つの帯状連結部とを備え、前記上側シートと前記下側シートは、互いに縫合されていないことを特徴とする。
【０００８】
本発明に係る移動補助シートにおいて、前記上側シート及び前記下側シートは、前記上側シートの下面の地の目線と、前記下側シートの上面の地の目線とが互いに交差するよう、より好ましくは直交するよう、重ね合わされることが好ましい。
【０００９】
また、本発明に係る移動補助シートにおいて、前記上側シート及び前記下側シートは、長方形状に形成されたシート材であり、前記帯状連結部は、前記上側シート及び前記下側シートの四隅にそれぞれ設けられるとしても良い。
【発明の効果】
【００１０】
本発明によれば、被介護者の移動方向に制約が生じない移動補助シートを提供することができる。
【図面の簡単な説明】
【００１１】
【図１】本発明の実施形態に係る移動補助シートの概略構成を示す斜視図である。
【図２】本実施形態に係る移動補助シートの使用状況の一例を表す概略平面図である。
【図３】図２の状態から移動補助シートの幅方向に沿って被介護者を移動させた状態を示す概略平面図である。
【図４】図２の状態から移動補助シートの長手方向に沿って被介護者を移動させた状態を示す概略平面図である。
【図５】図２の状態から移動補助シートの対角線方向に沿って被介護者を移動させた状態を示す概略平面図である。
【図６】従来の移動補助具の概略構成を示す斜視図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
本実施形態に係る移動補助シート１は、図１及び図２に示すように、被介護者４を上面１２に載置可能な上側シート１０と、上側シート１０の下面１４側に重ね合わされた下側シート２０と、上側シート１０及び下側シート２０を連結する帯状連結部３０とを備えている。
【００１４】
上側シート１０及び下側シート２０は、図１に示すように、概ね同形同大に形成された長方形状かつシート状の布材から形成されている。これら上側シート１０及び下側シート２０は、種々の公知の生地を任意に用いることができ、特に限定されるものではないが、例えばナイロンやポリエステル等からなる２１０デニール程度の合成繊維により形成されたオックスフォード等の厚手の織物等を好適に用いることができる。このような厚手の織物を用いることにより、薄手の生地を用いる場合と比較して、体圧に対する強度不足や、静電気による上側シート１０と下側シート２０との接着等の不具合を防止することが可能となる。また、上側シート１０及び下側シート２０には、接触面（上側シート１０の下面１４及び下側シート２０の上面２２）の動摩擦係数を低減させるために、例えば撥水アクリルコーティング等の種々の摩擦低減加工が施されることが好ましい。上側シート１０及び下側シート２０の長手方向の寸法及び幅方向の寸法は、使用対象等に応じて、任意の寸法に設定することができる。これら上側シート１０と下側シート２０とは、互いに縫合されておらず、上側シート１０と下側シート２０との間がその全周囲に亘って開放されている。上側シート１０及び下側シート２０の四隅には、それぞれ帯状連結部３０が設けられており、互いに分離しないよう連結されている。
【００１５】
これら上側シート１０及び下側シート２０は、図１に示すように、上側シート１０の下面１４の地の目線１６と、下側シート２０の上面２２の地の目線２６とが互いに所定角度αで交差するよう、重ね合わされている。この所定角度αは、任意の角度とすることができるが、好ましくは４５度〜１３５度であり、より好ましくは地の目線１６，２６が互いに直交する角度（すなわち、９０度）である。ここで、地の目線とは、上側シート１０及び下側シート２０の接触面（上側シート１０の下面１４及び下側シート２０の上面２２）を構成する生地の地の目に沿う線、すなわち、生地の浮きの大きな繊維束の軸方向に沿う線のことをいい、織物においては、織物の経糸又は緯糸の浮きの大きい方向に沿う線をいう。
【００１６】
帯状連結部３０は、図１に示すように、一端部３２が上側シート１０に接続され、他端部３４が下側シート２０に接続された柔軟な帯状の布材から構成されている。この帯状連結部３０は、上側シート１０及び下側シート２０の四隅にそれぞれ設けられている。具体的には、帯状連結部３０は、上側シート１０の短辺側の両縁部の両端部と、下側シート２０の短辺側の両縁部の両端部とを連結するよう設けられている。これら４つの帯状連結部３０は、下側シート２０に対する上側シート１０の移動を可能とするために、所定の長手方向の長さを有しており、それぞれ概ね同形同大に形成されている。これら帯状連結部３０の長手方向の長さは、任意の長さに設定することができ、この長さが下側シート２０に対する上側シート１０の最大移動量となる。すなわち、上側シート１０及び下側シート２０の相対移動が可能な範囲は、帯状連結部３０の長手方向の長さを任意の長さに設定することにより、任意に設定することができる。
【００１７】
次に、本実施形態に係る移動補助シート１の使用方法について、図２〜図５を用いて説明する。
【００１８】
まず、本実施形態に係る移動補助シート１は、図２に示すように、ベッド２と被介護者４との間に挿入される。なお、本実施形態の説明では、移動補助シート１が敷設される敷設箇所としてベッド２を例に挙げて説明するが、これに限定されず、本実施形態に係る移動補助シート１は、例えば車椅子等、様々な箇所に敷設して用いることが可能である。
【００１９】
そして、ベッド２と被介護者４との間に移動補助シート１が介在した状態において、所望の移動方向に被介護者４を押圧又は牽引することにより、ベッド２上において被介護者４を所望の方向に移動させる。具体的には、ベッド２の幅方向に沿って被介護者４を移動させる場合には、図３に示すように、被介護者４をベッド２の幅方向に押圧又は牽引する。また同様に、ベッド２の長手方向に沿って被介護者４を移動させる場合には、図４に示すように、被介護者４をベッド２の長手方向に押圧又は牽引し、ベッド２の対角線方向（斜め方向）に沿って被介護者４を移動させる場合には、図５に示すように、被介護者４をベッド２の対角線方向に押圧又は牽引する。なお、被介護者４の移動方向は、図３〜図５に示す移動方向に限定されず、移動補助シート１の平面方向に沿った方向であればいかなる方向であっても良く、また、ベッド２上において被介護者４を平面方向に沿って周回させ、被介護者４の向きを変えることも可能である。また、図３〜図５に示す例では、移動補助シート１の長手方向とベッド２の長手方向とが一致するよう、ベッド２上に移動補助シート１を敷設させた状態を例示しているが、本実施形態に係る移動補助シート１は、下側シート２０に対して上側シート１０を任意の平面方向に相対移動させることができるため、ベッド２上に敷設する際の移動補助シート１の向きに制約はない。
【００２０】
以上のように、本実施形態に係る移動補助シート１は、被介護者４を上面１２に載置可能な上側シート１０と、上側シート１０の下面１４側に重ね合わされた下側シート２０と、一端部３２が上側シート１０に接続され、他端部３４が下側シート２０に接続された少なくとも１つの帯状連結部３０とを備えている。このような本実施形態に係る移動補助シート１によれば、被介護者４が載置された上側シート１０が、ベッド２等の敷設箇所上に敷設された下側シート２０に対して摺動移動することで、被介護者４を移動させる際の被介護者４とベッド２等との間の摩擦抵抗を著しく低下させることができるため、介護者の作業負担を軽減させると共に、被介護者４の身体的な負担を軽減させることができる。また、本実施形態に係る移動補助シート１は、上側シート１０と下側シート２０とが互いに縫合されていないため、被介護者４の移動方向に制約が生じず、様々な方向に被介護者４を移動させることができるという利点をさらに有する。
【００２１】
さらに、本実施形態に係る移動補助シート１は、上側シート１０及び下側シート２０が、上側シート１０の下面１４の地の目線１６と下側シート２０の上面２２の地の目線２６とが互いに交差するよう、重ね合わされているため、様々な方向における滑り性を確保することができる。すなわち、例えば上側シート１０の下面１４の地の目線１６と下側シート２０の上面２２の地の目線２６とが平行となるよう（すなわち、互いに交差しないよう）上側シート１０及び下側シート２０を重ね合わせた場合、これら地の目線１６，２６が互いに噛み合うため、これら地の目線１６，２６の延在方向に沿って上側シート１０及び下側シート２０を相対移動させる際の滑り性は良好であるものの、地の目線１６，２６の延在方向と交差する方向に沿って上側シート１０及び下側シート２０を相対移動させる際の滑り性が著しく悪化するおそれがある。これに対し、本実施形態に係る移動補助シート１は、上述の構成を備えることにより、上側シート１０の下面１４の地の目線１６と、下側シート２０の上面２２の地の目線２６とがいかなる方向においても噛み合うことなく上滑りするため、様々な方向における滑り性を確保することができる。
【００２２】
以上、本発明の好適な実施形態について説明したが、本発明の技術的範囲は、上述した実施形態に記載の範囲には限定されない。上記各実施形態には、多様な変更又は改良を加えることが可能である。
【００２３】
例えば、上述した実施形態では、上側シート１０及び下側シート２０が、上側シート１０の下面１４の地の目線１６と、下側シート２０の上面２２の地の目線２６とが互いに交差するよう重ね合わされるものとして説明したが、これに限定されず、これら地の目線１６，２６が交差しない構成とすることも可能である。
【００２４】
また、上述した実施形態では、上側シート１０及び下側シート２０が、長方形状に形成されたシート材であり、帯状連結部３０が、上側シート１０及び下側シート２０の四隅にそれぞれ設けられるものとして説明したが、これに限定されるものではない。例えば、上側シート１０及び下側シート２０の形状は、例えば正方形状、三角形状、円形状及び楕円形状等の任意の形状とすることができ、また、その大きさも任意に設定することができる。また、帯状連結部３０は、上側シート１０及び下側シート２０が少なくとも一部において重なった状態が維持されるよう、これら上側シート１０及び下側シート２０を連結するものであれば、その形状、位置及び数に特に制約はなく、種々の構成を採用することができる。
【符号の説明】
【００２５】
１  移動補助シート、４  被介護者、１０  上側シート、１２  上側シートの上面、１４  上側シートの下面、１６，２６  地の目線、２０  下側シート、３０  帯状連結部、３２  一端部、３４  他端部
【図１】
2016171890.tif 000003
【図２】
2016171890.tif 000004
【図３】
2016171890.tif 000005
【図４】
2016171890.tif 000006
【図５】
2016171890.tif 000007
【図６】
2016171890.tif 000008